(57)【特許請求の範囲】
【請求項１】
防水パン上に立設され、天井パネルを支え、室内側に開口する溝を有する複数のフレームと、このフレームの溝に係合するフランジを周囲に備えた複数の基本壁パネルと、前記フレームの溝に係合するフランジを周囲に備えた複数の壁パネルとを備え、
前記フレームの溝に前記基本壁パネルのフランジを係合し、前記フレームに沿って基本壁パネルを複数フレーム間に立設し、
前記フレームの溝に前記壁パネルのフランジを係合し、前記フレームに沿って壁パネルを複数、前記基本壁パネルが立設されていないフレーム間に立設し、
隣接する複数の基本壁パネル又は壁パネルにより浴室の壁面が構成され、
隣接する壁パネル又は基本壁パネルの境界部に挿入可能なフランジを有する模様パネルが、前記境界部に模様パネルのフランジを挿入し、前記複数の基本壁パネルの壁面を隠蔽して設けられた浴室ユニット。
【請求項２】
請求項１において、模様パネルが、その水平方向寸法を基本壁パネルより大となし、垂直方向寸法を基本壁パネルと同じか小とする浴室ユニット。
【請求項３】
請求項１又は２において、基本壁パネルが、フレームへの係合フランジを有し、このフランジ長さを模様パネルのフランジ長さよりも短くした浴室ユニット。
【請求項４】
請求項１又は２において、基本壁パネルが、フレームへの係合フランジを有し、このフランジ長さを模様パネルのフランジ長さよりも長くした浴室ユニット。
【請求項５】
請求項１乃至４の何れかにおいて、模様パネルが、複数の基本壁パネルにまたがって設けられる浴室ユニット。
【請求項６】
請求項１乃至５の何れかにおいて、基本壁パネルが、裏面に補強部材を取り付けられた浴室ユニット。
【発明の詳細な説明】
【技術分野】
【０００１】
本発明は、浴室ユニット、特にこの浴室ユニットに用いる壁パネルの柄交換技術に関するものである。
【背景技術】
【０００２】
浴室ユニットは、在来工法に比較し、工期を大幅に短くすることを目的として考え出されたもので、浴室を形成する部材を予め作成し、これら部材を施工現場にて組み立てるようにしている。
【０００３】
図１は、浴室ユニットを示す概略透視斜視図である。浴室ユニット１は、底面を防水パン２、側面を壁パネル３、上面を天井パネル４として閉空間を形成している。浴室ユニット１の内部には、防水パン２の上に載置された浴槽５、洗い場正面に設置されたカウンター６、このカウンター６の上方に付設させた水栓７、壁パネル３に固着させた鏡８、室内を照らす灯具９等があり、これらを短時間にて施工することができる。
防水パン２は、浴槽５を載置する浴槽載置防水パンと、洗い場を形成する洗い場防水パンとが、一体成形されたものと、分割されたものとがあり、分割されたものは、施工現場にて２つの防水パンを水密的に結合して使用する。
【０００４】
壁パネル３は、図示を省略するフレームに対し、四周に設けたフランジを挿入して固定してあり、浴室側となる壁面に、様々な意匠を施している。
使用者は、予めカタログ、ショールーム等で壁柄を選択し、自分の所望する壁柄を選択することで、入浴時間をリラックスして過ごせるようにしており、近年では、自分でデザインしたものを壁柄にすることも可能となっている。
【特許文献１】特開２００７−１９７９３１号公報
【発明の開示】
【発明が解決しようとする課題】
【０００５】
しかしながら、使用者の選択した壁柄は、一旦設置した後であると、浴室ユニットの解体を伴う大がかりな工事を行わなければ、壁柄を交換することができず、季節、年齢の変化に合わせて壁柄を選択することができないとの課題がある。
これは、壁パネルが、浴室ユニットを支える強度部材となっており、壁パネルを取り外した状態で浴室ユニットの外形形状を維持できないことによる。
【０００６】
本発明は、容易に壁柄を交換可能な浴室ユニットを提供することを目的とする。
【課題を解決するための手段】
【０００７】
本発明は、以下のものに関する。
（１）防水パン上に立設され、天井パネルを支え、室内側に開口する溝を有する複数のフレームと、このフレームの溝に係合するフランジを周囲に備えた複数の基本壁パネルと、前記フレームの溝に係合するフランジを周囲に備えた複数の壁パネルとを備え、前記フレームの溝に前記基本壁パネルのフランジを係合し、前記フレームに沿って基本壁パネルを複数フレーム間に立設し、前記フレームの溝に前記壁パネルのフランジを係合し、前記フレームに沿って壁パネルを複数、前記基本壁パネルが立設されていないフレーム間に立設し、隣接する複数の基本壁パネル又は壁パネルにより浴室の壁面が構成され、隣接する壁パネル又は基本壁パネルの境界部に挿入可能なフランジを有する模様パネルが、前記境界部に模様パネルのフランジを挿入し、前記複数の基本壁パネルの壁面を隠蔽して設けられた浴室ユニット。
（２）項（１）において、模様パネルが、その水平方向寸法を基本壁パネルより大となし、垂直方向寸法を基本壁パネルと同じか小とする浴室ユニット。
（３）項（１）又は（２）において、基本壁パネルが、フレームへの係合フランジを有し、このフランジ長さを模様パネルのフランジ長さよりも短くした浴室ユニット。
（４）項（１）又は（２）において、基本壁パネルが、フレームへの係合フランジを有し、このフランジ長さを模様パネルのフランジ長さよりも長くした浴室ユニット。
（５）項（１）乃至（４）の何れかにおいて、模様パネルが、複数の基本壁パネルにまたがって設けられる浴室ユニット。
（６）項（１）乃至（５）の何れかにおいて、基本壁パネルが、裏面に補強部材を取り付けられた浴室ユニット。
【発明の効果】
【０００８】
本発明によれば、浴室ユニットの外形形状を保つ強度部材として基本壁パネルを用いているので、模様パネルを取り外しても浴室ユニットが崩れることがなく、模様パネルを交換することにより、容易に壁柄を交換することができる。
また、本発明の浴室ユニットは、交換可能な模様パネルを設置する壁面と、交換することがない壁面を共通のフレームによって構成することが可能であり、浴室内の壁面構造を適宜選択することができる。
模様パネルの水平方向寸法が、基本壁パネルの水平方向寸法よりも大である場合は、模様パネルの裏面を基本壁パネルの表面に接触させて重ねることができ、不用意に浴室内空間を狭くすることがない。
基本壁パネルが、フレームへの係合フランジを有し、このフランジ長さを模様パネルのフランジ長さよりも短くした場合は、強度を保つ基本壁パネルを容易にフレームへ係合させることができ、且つ、交換部材でもある模様パネルを、通常使用状態で容易に脱落することがないように、固定することができる。
また、模様パネルのフランジ長さが長いので、模様パネルの意匠面が歪むことが少なく、表面を美しく見せることができる。
また、逆に、基本壁パネルが、フレームへの係合フランジを有し、このフランジ長さを模様パネルのフランジ長さよりも長くした場合は、相対的に模様パネルのフランジが短く、模様パネルの交換をより素早く行うことができる。
模様パネルが、複数の基本壁パネルにまたがって設けられる場合は、継ぎ目のない大きなパネルを使用することができ、交換枚数も少なくすることができる。
基本壁パネルの裏面に補強部材を取り付けた場合は、浴室ユニット全体の強度を補強することができ、補強部材として断熱材を選択することで、浴室ユニット内の結露を防止し、エネルギー効率を上げることもできる。
【発明を実施するための最良の形態】
【０００９】
本発明にて述べるフレームは、防水パン上に立設され、天井パネルを支えると共に、後述する基本壁パネルを係合可能とするものであればよく、材質は、水場にて使用することから、腐食の少ない、又は防錆処理を施した金属、合成樹脂成形品を使用することができる。
フレームの配置は、特に限定されないが、一例としては、方形の防水パンの四隅、及び、防水パンの外周線となる各辺の中央部分に立設させることができる。
基本壁パネルの係合は、溝を設けることで可能であり、フレームに設けた溝に直接基本壁パネルのフランジを挿入しても、滑り止めとなる介在物を介して挿入しても良い。
【００１０】
本発明にて述べる基本壁パネルは、先に述べたフレームに係合するものであり、設置した際に浴室ユニットの外形形状を維持できる強度を有する。
フレームに係合する部分は、壁面の周囲にフランジを設け、このフランジをフレームの溝に挿入することで可能になるが、これ以外に、接着、ビス止め等により行うこともできる。
基本壁パネルの材質は、特に限定されるものではないが、具体的には、亜鉛メッキ鋼板、樹脂シート貼り付け鋼板、合成樹脂成形品等を使用することができる。
亜鉛メッキ鋼板を使用する場合は、その厚みを０．３〜２．３ｍｍとすることが好ましく、更には０．４〜０．６ｍｍとすることがより好ましい。亜鉛メッキ鋼板の厚みは、０．３ｍｍより薄い場合は、係合フランジ部の折れ曲がりが発生しやすくなり、浴室ユニットとしての強度が不足する。また、２．３ｍｍを超えると、パネル重量が増加し防水パンに補強を施す必要がある。
樹脂シート貼り付け鋼板を使用する場合は、樹脂シートとして、塩化ビニルシート、ＰＥＴシート等を用いることができ、シート厚みとしては２５〜２００μｍのものを用いることが好ましい。シート厚みが２５μｍ以下の場合は、水蒸気の透過により鋼板の防錆力が不足し、２００μｍ以上では、経済性が悪くなる。
基本壁パネルの壁面は、後述する模様パネルにより隠蔽されるので、意匠を要しない。
基本壁パネルの裏面（浴室ユニット外側）には、補強部材を取り付けることができ、具体的には、無機系のものとして、石膏ボード、珪酸カルシウム板、火山灰を原料とした窯業系の板体等を貼り付けることができ、また、合成樹脂製の発泡体を用いることもできる。
基本壁パネルの裏面には、ガラスウール、多孔質成形体、真空断熱材等の断熱部材を配置することも可能である。
基本壁パネルは、１つの浴室ユニットに対して複数使用され、基本壁パネル同士を隣接して配置するようにしている。隣接させた壁パネル同士の境界部には、後述する模様パネルのフランジが挿入可能なゆとりが持たせてある。
【００１１】
本発明にて述べる模様パネルは、意匠を施したパネルであり、基本壁パネル間の境界部に挿入するフランジを有している。
模様パネルのフランジは、模様パネルの設置状態において、少なくとも上下方向の両縁（両辺）に設けてあるが、更に左右方向の両縁（両辺）に設けることもできる。フランジの加工方法は、特に限定されるものではないが、金属加工機を用いた折り曲げ加工により容易に設けることができる。
模様パネルの材質は、特に限定されるものではないが、具体的には、合成樹脂として、ＰＥＴ樹脂、アクリル樹脂等を用いることができ、金属として、アルミ、鉄、銅、ステンレス、これらの合金等を用いることができ、中でも強度、耐食性に優れるステンレスを用いることが好ましい。
模様パネルの模様は、どのような印刷を行ってもよく、具体的には、スクリーン印刷、インクジェット印刷等を用いることができる。
模様パネルの大きさは、おおよそ基本壁パネルと同等であるが、複数の基本壁パネルにまたがって設置する場合は、基本壁パネルのまたがり枚数分とほぼ同等の大きさになる。
模様パネルと基本壁パネルの積層は、模様パネルが脱着可能なように行われるものであり、模様パネル裏面と基本壁パネル表面との接着は行わない。
但し、模様パネルと基本壁パネルとの間は、水が一旦侵入すると、排出されにくく、悪臭の原因となるので、シリコンコーキング等により水密にすることが好ましい。
【実施例】
【００１２】
以下、本発明の実施例について、図面を用いて説明する。
図２は、本発明の１実施例である概略透視斜視図、図３は図２に示す浴室ユニットの水平方向断面図、図４は図３に示すＡ部詳細図、図５は図４に示すＢ−Ｂ断面図である。
浴室ユニット１は、ＳＭＣ成形品である防水パン２に、防錆処理を施した鉄板を曲げ加工したフレーム１０を立設させ、天井パネル４を載置している。壁パネル３は、柄交換をする必要のないパネルで公知の方法で成形され浴室ユニット１に固定される。模様パネル１２は、そのフランジ１４を基本壁パネル１１、１１の間の境界部に挿入して固定される。
また、模様パネル１２は、本実施例において、カウンター６を設けている部分の壁で、基本壁パネル１枚に対して模様パネル１枚を割り当てているが、浴槽５を設けている部分の壁では、基本壁パネル２枚に対して模様パネル１枚を割り当てている（図２参照）。
【００１３】
基本壁パネル１１は、三菱樹脂株式会社製の商品名「菱メタル」（肉厚０．５ｍｍ）の四辺を高さ２０ｍｍとなるように曲げ加工してフランジ１３とし、幅７９７ｍｍ、高さ２０００ｍｍのパネルにしており、裏面に吉野石膏株式会社製の石膏ボード１５（厚み９ｍｍ、幅７５０ｍｍ、高さ１９９０ｍｍ）を貼り付けている。
石膏ボード１５の貼り付けは、基本壁パネル１１の裏面及び石膏ボード１５の張り合わせ面に、コニシボンド株式会社製の商品名「Ｇ１７」接着剤を、０．２ｋｇ／平方メートルとなるように散布した後、溶剤を揮発させ、その後ピンチロールにより線圧５ＭＮで加圧して行った。
【００１４】
模様パネル１２は、三菱樹脂株式会社製の商品名「菱メタル」（肉厚０．５ｍｍ）の表層に、英国Ｉｎｋａ社製インクジェットプリンター（ＳＰ３２０）を用いてインクジェット印刷したものを用いている。
インクジェット印刷した表面には、日本ペイント株式会社製のアクリルウレタン塗料（商品名「マイティーラック１０００（クリアー）」）に硬化剤を適量配合して肉厚３０μｍとなるように塗装してある。塗装後は、８０℃にて３０分間加熱処理を行い硬化させた。
模様パネル１２は、左右両側に高さ１０ｍｍのフランジ１４を曲げ加工により形成し、先に述べた基本壁パネル１１の境界部に、このフランジ１４を挿入して固定される。本実施例においては、固定の際に、基本壁パネル１１の表面に日立化成ポリマー株式会社製の両面粘着テープを貼り付けてから、積層作業を行っている。
また、模様パネル１２と天井パネル４の突き合わせ部、模様パネル１２とカウンター６又は浴槽５との突き合わせ部は、模様パネル１２と基本壁パネル１１との間に水が入り込まないようにシリコンコーキング剤にて止水処理を行っている。
【００１５】
模様パネル１２の交換は、止水処理を行っているシリコンコーキング剤を、カッターナイフ等により取り除き、模様パネル１２の表面に吸盤を密着させて、基本壁パネル１１から多少浮かせ、この浮かせた部分にバール等を差し込み、両面粘着テープを破壊することで行われる。
模様パネル１２を取り除いた後は、基本壁パネル１１の表面を清掃し、新たな両面テープを貼り付けてから、取り除いた模様パネルと柄の異なる模様パネルを積層固定し、シリコンコーキング剤により止水処理を施す。
従って、本願発明の浴室ユニットでは、ユニット全体を取り壊すような大がかりな工事を必要とせず、短時間且つ容易に、壁パネルの柄を交換することができる。
【図面の簡単な説明】
【００１６】
【図１】従来例である浴室ユニットを示す概略透視斜視図である。
【図２】本願発明の１実施例である浴室ユニットの概略透視斜視図を示す。
【図３】図２に示す浴室ユニットの水平方向断面図である。
【図４】図３に示すＡ部詳細図を示す。
【図５】図４に示すＢ−Ｂ断面図を示す。
【符号の説明】
【００１７】
１…浴室ユニット、２…防水パン、３…壁パネル、４…天井パネル、５…浴槽、６…カウンター、７…水栓、８…鏡、９…灯具、１０…フレーム、１１…基本壁パネル、１２…模様パネル、１３…フランジ、１４…フランジ、１５…石膏ボード
【図１】
0005210603.tif 000002
【図２】
0005210603.tif 000003
【図３】
0005210603.tif 000004
【図４】
0005210603.tif 000005
【図５】
0005210603.tif 000006